(57)【要約】【課題】回転多面鏡の駆動部のロータに回転多面鏡を組み付ける弾性押圧機構を簡略化する。【解決手段】回転多面鏡１を回転駆動するロータ５は回転軸３に固着された支持部材４と一体であり、回転多面鏡１は支持部材４上に載置され、弾性部材８によって押圧することでロータ５等と一体化される。弾性部材８は、回転多面鏡１に当接される当接部８ｂの内側にプッシュナット形状部８ａを有し、このプッシュナット形状部８ａを回転軸３の表面に食い込ませることで、弾性部材８を回転軸３に直接締結する。【選択図】      図１
2004279859.tif 000002
【特許請求の範囲】
【請求項１】
回転自在に支持された回転軸と、前記回転軸に一体的に結合されたロータと、前記ロータと一体である支持部材に支持された回転多面鏡と、前記回転多面鏡を前記支持部材に押圧して固定する弾性部材を有する偏向走査装置において、
前記弾性部材が、前記回転多面鏡に当接される当接部と一体的に形成されたプッシュナット形状部を有し、前記プッシュナット形状部を前記回転軸の外周面に食い込ませることによって、前記弾性部材が前記回転軸に直接締結されることを特徴とする偏向走査装置。
【発明の詳細な説明】
【０００１】
【発明の属する技術分野】
本発明は、レーザビームプリンタや複写機、レーザファクシミリ等の画像形成装置に用いられる偏向走査装置に関するものである。
【０００２】
【従来の技術】
レーザビームプリンタやレーザファクシミリ等の画像形成装置に用いられる偏向走査装置は、回転多面鏡によってレーザ光等の光ビームを反射させ、回転多面鏡の高速回転によって偏向走査し、得られた走査光を回転ドラム上の感光体に結像させて静電潜像を形成する。
【０００３】
図４は一従来例による偏向走査装置の主要部を示すもので、角柱状の側面に反射面１０１ａを有する回転多面鏡１０１を回転させる駆動部は、偏向走査装置の光学箱に固定スリーブ１０２を介して支承された回転軸１０３と、これと一体である支持部材１０４に一体的に結合されたヨーク１０５ａおよびロータマグネット１０５ｂを有するロータ１０５と、モータ基板１０６に固定されたステータコア１０７ａおよびステータコイル１０７ｂを有するステータ１０７を備えている。支持部材１０４は回転軸１０３の外周に圧入等の方法で固定された真鍮等の金属部材であり、回転多面鏡１０１は弾性部材１０８と固定リング１０９によって支持部材１０４に押圧・固定され、回転軸１０３やロータ１０５と一体的に回転する。なお、弾性部材１０８は中心穴１０８ａを回転軸１０３に嵌合させ、固定リング１０９等を回転軸１０３に圧入・固定することで組み付けが行われる（特開平１０−２６８２２６号公報、特開平１０−２２１６３４号公報等参照）。
【０００４】
【発明が解決しようとする課題】
しかしながら、上記従来の偏向走査装置によれば、前述のように、回転多面鏡１０１を回転軸１０３やロータ１０５と一体化するための弾性押圧機構として、弾性部材１０８およびこれを回転軸１０３に固定するための固定リング１０９が必要であり、部品点数が多くなることからコストアップを招くという傾向があった。また、図３に示すように、金属部材である固定リング１０９を回転軸１０３に圧入によって組み付ける工程において、矢印で示すように、回転軸１０３のスラスト方向へ過大な圧力が掛かり、回転軸１０３の端面にキズがついたり、固定スリーブ１０２の下端で回転軸１０３の軸端を受けるスラスト部材が変形する等の不具合が発生するという未解決の課題があった。
【０００５】
本発明は、上記従来の技術の有する未解決の課題に鑑みてなされたものであり、回転多面鏡をその駆動部に組み付ける工程における様々なトラブルを解消するとともに、組立作業を簡略化し、部品点数および工程数を削減することのできる偏向走査装置を提供することを目的とするものである。
【０００６】
【課題を解決するための手段】
上記目的を達成するため、本発明の偏向走査装置は、回転自在に支持された回転軸と、前記回転軸に一体的に結合されたロータと、前記ロータと一体である支持部材に支持された回転多面鏡と、前記回転多面鏡を前記支持部材に押圧して固定する弾性部材を有する偏向走査装置において、前記弾性部材が、前記回転多面鏡に当接される当接部と一体的に形成されたプッシュナット形状部を有し、前記プッシュナット形状部を前記回転軸の外周面に食い込ませることによって、前記弾性部材が前記回転軸に直接締結されることを特徴とする。
【０００７】
【作用】
回転多面鏡を支持部材に押圧して固定するための弾性部材の中央部にプッシュナット形状部を一体的に設けておき、固定リング等を用いることなく、プッシュナット形状部を回転軸に食い込ませることで、直接弾性部材を回転軸に締結する。
【０００８】
【発明の実施の形態】
本発明の実施の形態を図面に基づいて説明する。
【０００９】
図１は第１の実施の形態による偏向走査装置の主要部を示すもので、これは、図示しない光源から発生されたレーザ光等の光ビームを結像レンズ系に向かって反射する複数の反射面１ａを有する角柱状の回転多面鏡１と、図示しない光学箱に固定スリーブ２を介して支承された回転軸３と、回転軸３に固着された支持部材４と、支持部材４から懸下されたヨーク５ａおよびロータマグネット５ｂからなるロータ５と、モータ基板６に立設され、ロータ５とともに回転多面鏡１を回転させるモータを構成するステータ７を有し、ステータ７はステータコア７ａおよびステータコイル７ｂからなる。
【００１０】
回転多面鏡１は、支持部材４の図示上面に載置され、後述するプッシュナット形状部８ａを有する弾性部材８によって支持部材４に押圧され、支持部材４を介して回転軸３およびロータ５と一体的に結合される。
【００１１】
モータ基板６上の駆動回路から供給された駆動電流によってステータコイル７ｂが励磁されると、ロータ５が回転多面鏡１とともに回転し、回転多面鏡１に照射された光ビームが主走査方向に偏向走査される。
【００１２】
次に、回転多面鏡１を支持部材４に弾力的に押圧して固定する弾性部材８について詳しく説明する。
【００１３】
弾性部材８は、図１の（ｂ）に示すように円板の打ち抜きと曲げによって一体的に製作されるもので、回転軸３の外周面に弾力的に食い込んで固定されるプッシュナット形状部８ａと、回転多面鏡１の図示上面に当接される放射状の当接部８ｂを備えている。
【００１４】
プッシュナット形状部８ａは、回転軸３の軸径より小径の中心穴と放射状のスリットを備えたいわゆるバネナット構造を有し、プッシュナット形状部８ａを押して上向きに開き、回転軸３の上端から弾性部材８を嵌挿し、弾性部材８の外周縁の当接部８ｂを回転多面鏡１の上面に押圧した状態で、プッシュナット形状部８ａを回転軸３の外周面に弾力的に食い込ませて係止させる。このようにして、回転軸３に弾性部材８を直接締結する。
【００１５】
本実施の形態によれば、回転多面鏡をその駆動部に組み付けるための弾性押圧手段としてプッシュナット形状部を備えた弾性部材のみを用いるものであるため、複数の部品を必要とする従来例に比べて装置の部品点数が少なくてすみ、また、プッシュナット形状部を有する弾性部材を回転軸に軸方向に嵌挿するだけの一工程で組付作業を完了できるため、組立工程数の削減にも貢献できる。
【００１６】
そして、プッシュナット形状部を弾力的に開いて弾性部材を回転軸に嵌挿し、回転軸の外周面に食い込ませて直接締結する構成であるため、弾性部材を固定するために固定リングを用いる従来例のように、固定リングの圧入時に発生する回転軸の損傷等のトラブルを効果的に回避できる。
【００１７】
図２は第２の実施の形態を示すもので、これは、回転軸１３に固定溝１３ａを設けて、この固定溝１３ａに弾性部材８のプッシュナット形状部８ａを係止させることで、回転軸１３と弾性部材８との間の抜け強度を強化したものである。
【００１８】
このようにしてプッシュナット形状部８ａによる締結力を安定化することで、偏向走査装置の高速化や高性能化に容易に適応することができる。なお、回転多面鏡１、固定スリーブ２、支持部材４、ロータ５、モータ基板６、ステータ７、弾性部材８については第１の実施の形態と同様であるから同一符号で表わし説明は省略した。
【００１９】
本発明の実施態様は以下の通りである。
【００２０】
本発明の偏向走査装置は、回転自在に支持された回転軸と、前記回転軸に一体的に結合されたロータと、前記ロータと一体である支持部材に支持された回転多面鏡と、前記回転多面鏡を前記支持部材に押圧して固定する弾性部材を有する偏向走査装置において、前記弾性部材が、前記回転多面鏡に当接される当接部と一体的に形成されたプッシュナット形状部を有し、前記プッシュナット形状部を前記回転軸の外周面に食い込ませることによって、前記弾性部材が前記回転軸に直接締結されることを特徴とする。
【００２１】
上記偏向走査装置において、前記回転軸に固定溝を設けておき、前記固定溝に前記弾性部材のプッシュナット形状部を係止させるとよい。
【００２２】
【発明の効果】
本発明は上述のとおり構成されているので、以下に記載するような効果を奏する。
【００２３】
回転自在に支持された回転軸に一体的に固定されたロータと、該ロータと一体である支持部材に回転多面鏡を弾性部材によって押圧して結合させる偏向走査装置において、前記弾性部材にプッシュナット形状部を設け、回転軸に弾性部材を直接締結して回転多面鏡を支持部材に押圧する構成であるため、組み立て時に回転軸のスラスト方向へ過大な圧力が掛かるのを回避できる。加えて、回転多面鏡の駆動部の部品点数および組立工程数を削減することで、偏向走査装置の低価格化に貢献できる。
【図面の簡単な説明】
【図１】第１の実施の形態による偏向走査装置の主要部を示すもので、（ａ）はその模式断面図、（ｂ）は弾性部材のみを示す平面図である。
【図２】第２の実施の形態を示す模式断面図である。
【図３】従来例による偏向走査装置における固定リングの組み付け時のトラブルを説明する図である。
【図４】従来例による偏向走査装置の主要部を示すもので、（ａ）はその模式断面図、（ｂ）は弾性部材のみを示す平面図である。
【符号の説明】
１    回転多面鏡
２    固定スリーブ
３、１３    回転軸
４    支持部材
５    ロータ
６    モータ基板
７    ステータ
８    弾性部材
８ａ    プッシュナット形状部
８ｂ    当接部
１３ａ    固定溝
【図１】
2004279859.tif 000003
【図２】
2004279859.tif 000004
【図３】
2004279859.tif 000005
【図４】
2004279859.tif 000006